(57)【特許請求の範囲】
【請求項１】
ジェノグラム及びエコマップを作成するための装置であって、
画面から表示されるジェノグラム描画層に、第１のユーザ操作に従って、ジェノグラムを描画するジェノグラム描画部と、
前記画面から表示されるエコマップ描画層に、第２のユーザ操作に従って、エコマップを描画するエコマップ描画部と、
前記ジェノグラム描画層と、前記エコマップ描画層とを、前記画面から、重ねて表示させる表示制御部とを備え、
前記画面から表示されるエコマップ描画層は、ユーザによって指定された項目毎に、前記エコマップ描画部によって描画された複数のエコマップ描画層であり、前記表示制御部は、前記複数のエコマップ描画層のうち、任意の数のエコマップ描画層と、前記ジェノグラム描画層とを、前記画面から、重ねて表示させる、作成装置。
【請求項２】
前記エコマップ描画層及び前記ジェノグラム描画層は、前記画面において透過性の背景を有する、請求項１に記載の作成装置。
【請求項３】
前記画面において、描画された前記ジェノグラム描画層の上に重ねて表示された前記エコマップ描画層に、前記エコマップ描画部は、前記エコマップを描画する、請求項１または２に記載の作成装置。
【請求項４】
予め作成された、前記ジェノグラム及び前記エコマップの描画に使用される描画用パーツが保存されたデータベースをさらに備え、
前記第１のユーザ操作及び前記第２のユーザ操作は、前記データベースから、所望の描画用パーツを選択することを含む、請求項１乃至３のうち何れか１項に記載の作成装置。
【請求項５】
前記ジェノグラム描画部によって描画されたジェノグラム描画層の一部と、前記エコマップ描画部によって描画されたエコマップ描画層の一部とを、新たな描画用パーツとして前記データベースに登録する描画用パーツ登録部をさらに備えた、請求項４に記載の作成装置。
【請求項６】
前記ジェノグラム描画部によって描画された前記ジェノグラム描画層を保存するジェノグラム描画層データベースと、
前記エコマップ描画部によって描画された前記エコマップ描画層を保存するエコマップ描画層データベースとを備えた、請求項１乃至５のうち何れか１項に記載の作成装置。
【請求項７】
前記ジェノグラム描画層データベースに保存されたジェノグラム描画層を編集可能なジェノグラム編集部と、
前記エコマップ描画層データベースに保存されたエコマップ描画層を編集可能なエコマップ編集部とをさらに備えた、請求項６に記載の作成装置。
【請求項８】
前記表示制御部は、前記ジェノグラム描画層データベースに保存されたジェノグラム描画層と、前記エコマップ描画層データベースに保存されたエコマップ描画層とを、前記画面から、重ねて表示させる、請求項６または７に記載の作成装置。
【請求項９】
プロセッサによって、ジェノグラム及びエコマップを作成するための方法であって、
前記プロセッサが、
画面から表示されるジェノグラム描画層に、第１のユーザ操作に従って、ジェノグラムを描画することと、
前記画面から表示されるエコマップ描画層に、第２のユーザ操作に従って、エコマップを描画することと、
前記ジェノグラム描画層と、前記エコマップ描画層とを、前記画面から、重ねて表示させることとを含み、
前記画面から表示されるエコマップ描画層は、ユーザによって指定された項目毎に描画された複数のエコマップ描画層であり、
前記重ねて表示させることは、前記複数のエコマップ描画層のうち、任意の数のエコマップ描画層と、前記ジェノグラム描画層とを、前記画面から、重ねて表示させる、作成方法。
【請求項１０】
前記エコマップ描画層及び前記ジェノグラム描画層は、前記画面において透過性の背景を有する、請求項９に記載の作成方法。
【請求項１１】
前記エコマップを描画することは、
前記画面において、描画された前記ジェノグラム描画層の上に重ねて表示された前記エコマップ描画層に、前記エコマップを描画することを含む、請求項９または１０に記載の作成方法。
【請求項１２】
予め作成された、前記ジェノグラム及び前記エコマップの描画に使用される描画用パーツをデータベースに保存することをさらに含み、
前記第１のユーザ操作及び前記第２のユーザ操作は、前記データベースから、所望の描画用パーツを選択することを含む、請求項９乃至１１のうち何れか１項に記載の作成方法。
【請求項１３】
前記プロセッサはさらに、
前記描画されたジェノグラム描画層の一部と、前記描画されたエコマップ描画層の一部とを、新たな描画用パーツとして前記データベースに登録することをさらに含む、請求項１２に記載の作成方法。
【請求項１４】
前記プロセッサはさらに、
前記描画された前記ジェノグラム描画層を、ジェノグラム描画層データベースに保存することと、
前記描画された前記エコマップ描画層を、エコマップ描画層データベースに保存することとを含む、請求項９乃至１３のうち何れか１項に記載の作成方法。
【請求項１５】
前記プロセッサはさらに、
前記ジェノグラム描画層データベースに保存されたジェノグラム描画層を編集することと、
前記エコマップ描画層データベースに保存されたエコマップ描画層を編集することとをさらに含む、請求項１４に記載の作成方法。
【請求項１６】
前記重ねて表示させることは、前記ジェノグラム描画層データベースに保存されたジェノグラム描画層と、前記エコマップ描画層データベースに保存されたエコマップ描画層とを、前記画面から、重ねて表示させることを含む、請求項１４または１５に記載の作成方法。
【請求項１７】
ジェノグラム及びエコマップを作成するためのプログラムであって、
画面から表示されるジェノグラム描画層に、第１のユーザ操作に従って、ジェノグラムを描画する機能
ユーザによって指定された項目毎に設けられた複数のエコマップ描画層に、第２のユーザ操作に従って、エコマップを描画する機能、
前記複数のエコマップ描画層のうち、任意の数のエコマップ描画層と、前記ジェノグラム描画層とを、前記画面から、重ねて表示させる機能、
をプロセッサに実現させるためのプログラム。
【請求項１８】
前記エコマップ描画層及び前記ジェノグラム描画層は、前記画面において透過性の背景を有する、請求項１７に記載のプログラム。
【請求項１９】
前記エコマップを描画する機能は、
前記画面において、描画された前記ジェノグラム描画層の上に重ねて表示された前記エコマップ描画層に、前記エコマップを描画する機能を含む、請求項１７または１８に記載のプログラム。
【請求項２０】
予め作成された、前記ジェノグラム及び前記エコマップの描画に使用される描画用パーツをデータベースに保存する機能を、前記プロセッサにさらに実現させ、
前記第１のユーザ操作及び前記第２のユーザ操作は、前記データベースから、所望の描画用パーツを選択することを含む、請求項１７乃至１９のうち何れか１項に記載のプログラム。
【請求項２１】
前記描画されたジェノグラム描画層の一部と、前記描画されたエコマップ描画層の一部とを、新たな描画用パーツとして前記データベースに登録する機能を、前記プロセッサにさらに実現させる、請求項２０に記載のプログラム。
【請求項２２】
前記描画された前記ジェノグラム描画層を、ジェノグラム描画層データベースに保存する機能、
前記描画された前記エコマップ描画層を、エコマップ描画層データベースに保存する機能を、前記プロセッサにさらに実現させる、請求項１７乃至２１のうち何れか１項に記載のプログラム。
【請求項２３】
前記ジェノグラム描画層データベースに保存されたジェノグラム描画層を編集する機能、
前記エコマップ描画層データベースに保存されたエコマップ描画層を編集する機能を、前記プロセッサにさらに実現させる、請求項２２に記載のプログラム。
【請求項２４】
前記重ねて表示させる機能は、前記ジェノグラム描画層データベースに保存されたジェノグラム描画層と、前記エコマップ描画層データベースに保存されたエコマップ描画層とを、前記画面から、重ねて表示させる機能を含む、請求項２２または２３に記載のプログラム。
【発明の詳細な説明】
【技術分野】
【０００１】
本発明は、例えば福祉支援のために好適に活用される、ジェノグラム及びエコマップの作成装置、方法、及びプログラムに関する。
【背景技術】
【０００２】
従来、家族構成や家系といった血縁関係を表現する図であるジェノグラムや、社会資源（例えば、近隣住民、福祉施設、行政機関等）との関係性を表現する図であるエコマップが知られている。
【０００３】
ジェノグラム及びエコマップはどちらも、福祉、医療、及び介護の分野において必要とされる。
【０００４】
ジェノグラム及びエコマップには、定められた記載ルールがある。例えば、ジェノグラムでは、男性は□で、女性は○で表され、中に年齢が数字で記載される。エコマップでは、働きかけの方向が矢印で表され、険悪な人間関係はノコギリ線で表され、関係の強弱は線の太さで表されるという具合である。
【先行技術文献】
【特許文献】
【０００５】
【特許文献１】特開２０１４−６７３８４号公報
【発明の概要】
【発明が解決しようとする課題】
【０００６】
ジェノグラムやエコマップは、このような記載ルールを有しているので、慣れない人がいきなり作成しようとしても、手間がかかり、容易に作成できるものではない。
【０００７】
このため、ジェノグラム及びエコマップを、記載ルールに従って、容易かつ効率的に作成できる作成装置が望まれている。
【０００８】
特許文献１には、ジェノグラムを作成するためのソフトウェアが開示されている。
【０００９】
しかしながら、特許文献１には、エコマップを作成する技術は開示されていない。
【００１０】
ジェノグラムとエコマップとは、相互に関連している内容が多く、また、家族の情報など、共通している情報も多い。このため、ジェノグラムとエコマップとを、それぞれ別々の作成装置で作成する場合、同じ設定を複数回行うことになり、効率が悪い。
【００１１】
また、福祉関係者や医療関係者が、福祉支援を受ける人や患者の、血縁関係や交友関係を一度に効率良く把握するためには、ジェノグラムとエコマップとを重ね合わせて見ると都合がよい。
【００１２】
しかしながら、ジェノグラムとエコマップとが別々の作成装置で作成された場合、これらは相互のレイアウト上の整合性を考慮されることなく作成されているので、重ね合わせて表示した場合、文字や記号が重なり、その結果、見づらくなることもあり得る。
【００１３】
したがって、ジェノグラム及びエコマップを、同一の作成装置によって、一体的に作成することが望ましい。
【００１４】
本発明はこのような事情に鑑みてなされたものであり、ジェノグラム及びエコマップを、容易にかつ一体的に作成することが可能な作成装置、方法、及びプログラムを提供することを目的とする。
【課題を解決するための手段】
【００１５】
上記の目的を達成するために、本発明では、以下のような手段を講じる。
【００１６】
すなわち、本発明の第１の態様は、画面から表示されるジェノグラム描画層に、第１のユーザ操作に従って、ジェノグラムを描画するジェノグラム描画部と、前記画面から表示されるエコマップ描画層に、第２のユーザ操作に従って、エコマップを描画するエコマップ描画部と、前記ジェノグラム描画層と、前記エコマップ描画層とを、前記画面から、重ねて表示させる表示制御部とを備え、前記画面から表示されるエコマップ描画層は、ユーザによって指定された項目毎に、前記エコマップ描画部によって描画された複数のエコマップ描画層であり、前記表示制御部は、前記複数のエコマップ描画層のうち、任意の数のエコマップ描画層と、前記ジェノグラム描画層とを、前記画面から、重ねて表示させる、ジェノグラムの作成装置である。
【００１７】
本発明の第２の態様は、第１の態様の作成装置において、前記エコマップ描画層及び前記ジェノグラム描画層は、前記画面において透過性の背景を有する。
【００１８】
本発明の第３の態様は、第１または第２の態様の作成装置において、前記画面において、描画された前記ジェノグラム描画層の上に重ねて表示された前記エコマップ描画層に、前記エコマップ描画部は、前記エコマップを描画する。
【００２１】
本発明の第４の態様は、第１乃至第３の態様のうちの何れかの作成装置において、予め作成された、前記ジェノグラム及び前記エコマップの描画に使用される描画用パーツが保存されたデータベースをさらに備え、前記第１のユーザ操作及び前記第２のユーザ操作は、前記データベースから、所望の描画用パーツを選択することを含む。
【００２２】
本発明の第５の態様は、第４の態様の作成装置において、前記ジェノグラム描画部によって描画されたジェノグラム描画層の一部と、前記エコマップ描画部によって描画されたエコマップ描画層の一部とを、新たな描画用パーツとして前記データベースに登録する描画用パーツ登録部をさらに備える。
【００２３】
本発明の第６の態様は、第１乃至第５の態様のうちの何れかの作成装置において、前記ジェノグラム描画部によって描画された前記ジェノグラム描画層を保存するジェノグラム描画層データベースと、前記エコマップ描画部によって描画された前記エコマップ描画層を保存するエコマップ描画層データベースとを備える。
【００２４】
本発明の第７の態様は、第６の態様の作成装置において、前記ジェノグラム描画層データベースに保存されたジェノグラム描画層を編集可能なジェノグラム編集部と、前記エコマップ描画層データベースに保存されたエコマップ描画層を編集可能なエコマップ編集部とをさらに備える。
【００２５】
本発明の第８の態様は、第６または第７の態様の作成装置において、前記表示制御部は、前記ジェノグラム描画層データベースに保存されたジェノグラム描画層と、前記エコマップ描画層データベースに保存されたエコマップ描画層とを、前記画面から、重ねて表示させる。
【００２７】
また、本発明では、上記の目的を達成するために、上記各態様に準じた方法およびプログラムも特許請求される。
【発明の効果】
【００２８】
本発明の作成装置、方法、及びプログラムによれば、ジェノグラム及びエコマップを、容易にかつ一体的に作成することが可能となる。
【図面の簡単な説明】
【００２９】
【図１】図１は、本発明の実施形態に係るジェノグラム／エコマップ作成方法が適用されたジェノグラム／エコマップ作成装置の構成例を示すブロック図である。
【図２】図２は、本発明の実施形態に係るジェノグラム／エコマップ作成方法が適用されたジェノグラム／エコマップ作成装置の電子回路構成例を示す機能ブロック図である。
【図３】図３は、ジェノグラム／エコマップ作成装置のメニュー画面の一例を示す図である。
【図４】図４は、ジェノグラム描画用画面の一例を示す図である。
【図５】図５は、描画用パーツ表示エリアの一例を示す図である。
【図６】図６は、キャンバスエリアに描画用パーツが配置された一例を示す図である。
【図７】図７は、描画用パーツをクリックすることによって、編集メニューアイコンが表示された状態の一例を示す図である。
【図８】図８は、テキスト入力エリアに文字情報が入力された状態の一例を示す図である。
【図９】図９は、描画用パーツ表示エリアに多数の線指定アイコンが表示された例を示す図である。
【図１０】図１０は、キャンバスエリアにジェノグラムが描画された状態の一例を示す図である。
【図１１】図１１は、エコマップ描画モジュール起動時に表示されるエコマップ描画用画面の一例を示す概念図である。
【図１２】図１２は、ジェノグラム描画層上のエコマップ描画層にエコマップが描画された状態の一例を示す図である。
【図１３】図１３は、福祉相談支援システムの保守メニューを表示する画面の一例を示す図である。
【図１４】図１４は、ジェノグラム／エコマップ作成装置の項目を初期登録する際に表示される画面の一例を示す図である。
【図１５】図１５は、描画用パーツを編集処理する際に表示される画面の一例を示す図である。
【図１６】図１６は、描画用パーツが更新された場合に表示される画面の一例を示す図である。
【発明を実施するための形態】
【００３０】
以下に、本発明の実施形態に係るジェノグラム／エコマップ作成方法及びジェノグラム／エコマップ作成装置を、図面を参照して説明する。
【００３１】
なお、以下の実施形態の説明において、同一部分については、同一符号を用いて示し、重複説明を避ける。
【００３２】
図１は、本発明の実施形態に係るジェノグラム／エコマップ作成方法が適用されたジェノグラム／エコマップ作成装置の構成例を示すブロック図である。
【００３３】
ジェノグラム／エコマップ作成装置１０は、ジェノグラム及びエコマップを作成するための装置であって、例えばサーバのようなコンピュータによって実現され、例えばＰＣやタブレットのような複数の端末８０と、例えば有線または無線の通信ネットワーク７０を介して通信可能に接続され、端末８０に対して、ジェノグラム／エコマップ作成プログラムを提供する。
【００３４】
すなわち、ジェノグラム／エコマップ作成装置１０は、Ｗｅｂ環境で動作可能であるので、ユーザは、Ｗｅｂブラウザがインストールされた端末８０を操作することによって、プログラムをインストールする必要なく利用することができる。
【００３５】
このようなジェノグラム／エコマップ作成装置１０は、例えば福祉支援の担当者に対して、被支援者に関する情報を効率よく伝えるために好適に活用されることが期待され、単独の装置やアプリケーションとして実現することも可能であるが、例えば役場や役所において、福祉相談の支援業務を統合的に管理する福祉相談支援システムに搭載された一機能として実現することも可能である。
【００３６】
複数の端末８０は、例えば、役場や役所の担当者、被支援者に対する福祉支援に関わる者である各ユーザによって操作される。
【００３７】
なお、図１に例示するようなネットワーク環境には、イーサネット（登録商標）等のＬＡＮ、あるいは公衆回線や専用回線を介して複数のＬＡＮが接続されるＷＡＮ等を含み得る。ＬＡＮの場合には、必要に応じてルータを介した多数のサブネットから構成される。また、ＷＡＮの場合には、公衆回線に接続するためのファイアウォール等を適宜備えるが、ここではその図示及び詳細説明を省略する。
【００３８】
図２は、本発明の実施形態に係るジェノグラム／エコマップ作成方法が適用されたジェノグラム／エコマップ作成装置の電子回路構成例を示す機能ブロック図である。
【００３９】
ジェノグラム／エコマップ作成装置１０の電子回路は、バス１１によって互いに接続されたＣＰＵ１２、記録媒体読取部１４、通信部１５、メモリ２０、及び記憶装置３０を備える。
【００４０】
メモリ２０はジェノグラム／エコマップ作成装置１０を実現するプログラムとして、ジェノグラム描画モジュール２１、エコマップ描画モジュール２２、描画用パーツ登録モジュール２３、ジェノグラム編集モジュール２４、エコマップ編集モジュール２５、及び表示制御モジュール２６を記憶している。
【００４１】
これらプログラムモジュール２１〜２６は、メモリ２０に予め記憶されていてもよいし、あるいはメモリカード等の外部記録媒体１３から記録媒体読取部１４を介してメモリ２０に読み込まれて記憶されたものであってもよい。これらプログラムモジュール２１〜２６は、書き換えできないようになっている。
【００４２】
メモリ２０には、このようなユーザ書き換え不可能なエリアの他に、書き換え可能なデータを記憶するエリアとして、書込可能データエリア２９が確保されている。
【００４３】
ＣＰＵ１２は、各プログラムモジュール２１〜２６を実行可能な１つまたは複数のプロセッサの一例であって、各プログラムモジュール２１〜２６に従い回路各部の動作を制御する。
【００４４】
記憶装置３０は、例えばＳＳＤ（Solid State Drive）やＨＤＤ（Hard Disk Drive）等からなり、描画用パーツデータベース３１、ジェノグラム描画層データベース３２、及びエコマップ描画層データベース３３を記憶している。なお、以下において「データベース」は「ＤＢ」と略すものとする。
【００４５】
通信部１５は、通信ネットワーク７０に接続されており、通信ネットワーク７０を介してなされる端末８０とジェノグラム／エコマップ作成装置１０との間の情報の送受信を司る。端末８０とジェノグラム／エコマップ作成装置１０との間では、多くの情報が送受信されるが、これらはすべて、通信ネットワーク７０を介して通信部１５によってなされる。以下の説明では、端末８０とジェノグラム／エコマップ作成装置１０との間でなされる情報の送受信が、通信ネットワーク７０を介して通信部１５でなされるとの重複説明を避ける。
【００４６】
描画用パーツＤＢ３１は、ジェノグラムの描画や、エコマップの描画に使用される描画用パーツａを保存するＤＢである。保存形式は、汎用のＳＶＧ形式とすることができる。ＳＶＧ形式とした場合、表示時に、拡大縮小により鮮明度が落ちることはなく、拡大縮小して印刷しても鮮明に印刷される。また、他のソフトウェアに取り込んで修正することも可能である。
【００４７】
描画用パーツａは、予め生成されて描画用パーツＤＢ３１に保存されることも、また、後述するように、描画用パーツ登録モジュール２３によって新たに登録され、描画用パーツＤＢ３１に保存されることも可能である。
【００４８】
ジェノグラム描画モジュール２１は、端末８０の表示画面８４から表示されるジェノグラム描画層Ａに、ジェノグラム描画のためのユーザ操作に従って、ジェノグラムを描画する。
【００４９】
ユーザは、端末８０に接続されたマウスやキーボードから、またはスタイラスペンを使用して、あるいは表示画面８４がタッチパネル式のものであればタッチパネルを操作することによって、ジェノグラム描画のためのユーザ操作を行うことができる。従って、マウス操作に不慣れなユーザでも、容易に操作することができる。以下、ユーザ操作と称する場合、ユーザ操作は、マウス、キーボード、スタイラスペン、タッチパネル等による操作を含むものと理解されたい。
【００５０】
ユーザ操作が行われると、該ユーザ操作に対応する情報が、端末８０から、通信ネットワーク７０を介してジェノグラム／エコマップ作成装置１０へ送信され、ジェノグラム描画モジュール２１において、該ユーザ操作に従って、ジェノグラム描画層Ａに、ジェノグラムが描画される。
【００５１】
具体的には、該ユーザ操作は、描画用パーツＤＢ３１から、描画用パーツａを選択することを含む。この選択を容易にするため、ジェノグラム描画モジュール２１は、描画用パーツＤＢ３１に保存されている描画用パーツａを示すアイコンを、表示画面８４から一覧表示させる。したがって、ユーザは、この一覧表示を参照して、所望の描画用パーツａを容易に選択し、選択した描画用パーツａを、ジェノグラム描画層Ａに配置することによって、ジェノグラムの描画処理を進めることができる。
【００５２】
このようにしてジェノグラム描画層Ａへのジェノグラムの描画が完了すると、ジェノグラム描画モジュール２１は、このジェノグラム描画層Ａを、ジェノグラム描画情報としてジェノグラム描画層ＤＢ３２に保存する。保存形式は、汎用のＳＶＧ形式とすることができる。ＳＶＧ形式とした場合、表示時に、拡大縮小により鮮明度が落ちることはなく、拡大縮小して印刷しても鮮明に印刷される。また、他のソフトウェアに取り込んで修正することも可能である。
【００５３】
表示制御モジュール２６は、ジェノグラム描画モジュール２１によってジェノグラムが描画されたジェノグラム描画層Ａを、端末８０の表示画面８４から表示させる。あるいは、ユーザ操作に従って、ジェノグラム描画層ＤＢ３２に保存されたジェノグラム描画層Ａから、所望のジェノグラム描画層Ａを取得し、取得したジェノグラム描画層Ａを、端末８０の表示画面８４から表示させる。
【００５４】
表示制御モジュール２６はさらに、ジェノグラム描画層Ａの上に、エコマップ描画層Ｂを重ねて、表示画面８４から表示させる。
【００５５】
このように、ジェノグラム描画層Ａの上に重ねて表示されたエコマップ描画層Ｂに対して、エコマップ描画モジュール２２は、エコマップ描画のためのユーザ操作に従って、エコマップを描画することができる。
【００５６】
エコマップ描画層Ｂ及びジェノグラム描画層Ａは、表示画面８４において透過性の背景を有している。従って、ユーザは、ジェノグラム描画層Ａに描画されたジェノグラムを見ながら、エコマップ描画モジュール２２に、ユーザ操作を送ることができる。つまり、ユーザは、ジェノグラム描画層Ａに描画されたジェノグラムに基づいて、エコマップ描画層Ｂに、エコマップを描画することができる。
【００５７】
このようにユーザが端末８０においてエコマップ描画のためのユーザ操作を行うと、該ユーザ操作に対応する情報が、端末８０からエコマップ描画モジュール２２へ送られ、エコマップ描画モジュール２２において、該ユーザ操作に従って、エコマップ描画層Ｂに、エコマップが描画される。
【００５８】
具体的には、該ユーザ操作は、描画用パーツＤＢ３１から、所望の描画用パーツａを選択することを含む。この選択を容易にするため、エコマップ描画モジュール２２は、描画用パーツＤＢ３１に保存されている描画用パーツａを示すアイコンを、表示画面８４から一覧表示させる。したがって、ユーザは、この一覧表示を参照して、所望の描画用パーツａを容易に選択し、選択した描画用パーツａを、エコマップ描画層Ｂに配置することによって、エコマップの描画処理を進めることができる。
【００５９】
このようにしてエコマップ描画層Ｂへのエコマップの描画が完了すると、エコマップ描画モジュール２２は、このエコマップ描画層Ｂを、エコマップ描画情報としてエコマップ描画層ＤＢ３３に保存する。保存形式は、汎用のＳＶＧ形式とすることができる。ＳＶＧ形式とした場合、表示時に、拡大縮小により鮮明度が落ちることはなく、拡大縮小して印刷しても鮮明に印刷される。また、他のソフトウェアに取り込んで修正することも可能である。
【００６０】
なお、表示画面８４からジェノグラム描画層Ａに重ねて表示されるエコマップ描画層Ｂは１つに限らず、複数であることも可能である。これによって、エコマップ描画モジュール２２は、例えば、ビジネス関係、近隣関係、及び趣味関係という具合に、項目毎にそれぞれ対応するエコマップ描画層Ｂ（例えば、ビジネス関係エコマップ描画層Ｂ１、近隣関係エコマップ描画層Ｂ２、及び趣味関係エコマップ描画層Ｂ３）を作成し、エコマップ描画層ＤＢ３３に保存することもできる。
【００６１】
ジェノグラム編集モジュール２４は、ジェノグラム描画層ＤＢ３２に保存されたジェノグラム描画層Ａを個別に編集することができる。そして、編集後のジェノグラム描画層Ａを、ジェノグラム描画層ＤＢ３２にオーバライトして保存することによって、ジェノグラム描画層ＤＢ３２を更新する。
【００６２】
エコマップ編集モジュール２５は、エコマップ描画層ＤＢ３３に保存されたエコマップ描画層Ｂを個別に編集することができる。そして、編集後のエコマップ描画層Ｂを、エコマップ描画層ＤＢ３３にオーバライトして保存することによって、エコマップ描画層ＤＢ３３を更新する。
【００６３】
描画用パーツ登録モジュール２３は、ジェノグラム描画モジュール２１によって描画されたジェノグラム描画層Ａの一部を、新たな描画用パーツａとして、描画用パーツＤＢ３１に登録することができる。これによって、夫婦など頻出するパターンや、家族構成のパターンを、新たな描画用パーツａとして登録することができるので、ユーザは、同じパターンを再度描画する必要はなくなり、ユーザの利便性を向上させることができる。同様に、ジェノグラム描画層ＤＢ３２から、ユーザ選択されたジェノグラム描画層Ａを取得し、このジェノグラム描画層Ａの一部を、新たな描画用パーツａとして、描画用パーツＤＢ３１に登録することもできる。
【００６４】
描画用パーツ登録モジュール２３はさらに、エコマップ描画モジュール２２によって描画されたエコマップ描画層Ｂの一部を、新たな描画用パーツａとして、描画用パーツＤＢ３１に登録することができる。さらにまた、エコマップ描画層ＤＢ３３から、ユーザ選択されたエコマップ描画層Ｂを取得し、このエコマップ描画層Ｂの一部を、新たな描画用パーツａとして、描画用パーツＤＢ３１に登録することもできる。
【００６５】
表示制御モジュール２６は、ジェノグラム描画層Ａの上に、エコマップ描画層Ｂを重ねた状態で、表示画面８４から表示させたり、重ね合わされたジェノグラム描画層Ａとエコマップ描画層Ｂとを統合した画像データを生成する。
【００６６】
表示されるジェノグラム描画層Ａは、ジェノグラム描画モジュール２１による描画前、描画途中、描画終了後のいずれも可能であり、また、ユーザ要求によって、ジェノグラム描画層ＤＢ３２から取得されたものとすることもできる。
【００６７】
同様に、表示されるエコマップ描画層Ｂは、エコマップ描画モジュール２２による描画前、描画途中、描画終了後のいずれも可能であり、また、ユーザ要求によって、エコマップ描画層ＤＢ３３から取得されたものとすることもできる。
【００６８】
また、表示制御モジュール２６は、ユーザからの指示に応じて、ジェノグラム描画層Ａまたはエコマップ描画層Ｂのうち、任意の描画層を、表示画面８４から表示させることもできる。これによって、表示制御モジュール２６は、例えば、ジェノグラム描画層Ａだけを表示させたり、エコマップ描画層Ｂだけを表示させたり、あるいはエコマップ描画層Ｂが、ビジネス関係エコマップ描画層Ｂ１、近隣関係エコマップ描画層Ｂ２、及び趣味関係エコマップ描画層Ｂ３のように複数存在する場合には、任意の１つまたは複数のエコマップ描画層Ｂを表示させることも、任意の１つまたは複数のエコマップ描画層Ｂをジェノグラム描画層Ａと重ね合わせて表示させるなど、表示対象とする描画層を任意に切り替えて表示画面８４から表示させることもできる。
【００６９】
次に、以上のように説明した本発明の実施形態に係るジェノグラム／エコマップ作成方法が適用されたジェノグラム／エコマップ作成装置の動作例について説明する。
【００７０】
端末８０からジェノグラム／エコマップ作成装置１０にアクセスすると、端末８０の表示画面８４から、図３に例示するように、ジェノグラム／エコマップ作成装置１０のメニュー画面４０が表示される。
【００７１】
ユーザが、メニュー画面４０から、マウスクリック等によって、ジェノグラム描画４１を選択すると、ジェノグラム描画モジュール２１が起動し、図４に例示するようなジェノグラム描画用画面５０が表示される。
【００７２】
ジェノグラム描画用画面５０には、描画用パーツ表示エリア５２と、キャンバスエリア５４とが含まれる。
【００７３】
描画用パーツ表示エリア５２には、描画用パーツＤＢ３１に保存されている各描画用パーツａに対応するアイコンが表示される。各アイコンの下には、例えば、□は男性（生存）を表し、○は女性（生存）を表すなどの説明が付されており、ジェノグラムやエコマップの作成に慣れていない、経験の浅いユーザでも、正確なジェノグラムやエコマップを作成できるように配慮されている。
【００７４】
ユーザは、端末８０を操作することによって、描画用パーツ表示エリア５２から、所望する描画用パーツａを指定することができる。例えば、ユーザは、描画用パーツ表示エリア５２に表示されている描画用パーツａのアイコンを指定することによって、所望する描画用パーツａ１を指定することができる。指定された描画用パーツａ１が識別できるように、図５に斜線で示すように、指定された描画用パーツａ１（例えば、「男性」（対象））は、指定されていない描画用パーツａと異なる色（例えばピンク色）で表示される。
【００７５】
ユーザは、描画用パーツａ１を指定した状態で、キャンバスエリア５４をマウスクリック等により指定すると、図６に示すように、キャンバスエリア５４に描画用パーツａ１が配置される。
【００７６】
なお、描画用パーツ表示エリア５２から、所望する描画用パーツａを指定する際に、例えば、Ｃｔｒｌキーを押しながら、描画用パーツａのアイコンを指定することにより、複数の描画用パーツａを指定することもできる。この場合は、ユーザが、キャンバスエリア５４をマウスクリック等により指定することにより、キャンバスエリア５４に複数の描画用パーツａ１を一度に配置することができる。
【００７７】
描画用パーツａ１は、キャンバスエリア５４内に配置された後も、ドラッグ等により、キャンバスエリア５４内で自由に移動可能であるので、ユーザは、キャンバスエリア５４内の所望の場所に描画用パーツａ１を配置することができる。
【００７８】
また、図７に示すように、キャンバスエリア５４内に配置された描画用パーツａ１をクリックすることによって、編集メニューアイコン５６を表示することができる。ユーザは、編集メニューアイコン５６に紐付けられた機能を使って、描画用パーツａ１の色を変更したり、描画用パーツａ１をキャンバスエリア５４から削除することができる。
【００７９】
なお、図４に戻って示すように、描画用パーツ表示エリア５２には、描画用パーツａの他に、テキストアイコンｃも表示される。ユーザは、このテキストアイコンｃを、マウス等のクリックにより指定した状態で、キャンバスエリア５４をマウス等によりクリックすると、図８に示すように、キャンバスエリア５４にテキスト入力エリア５８が配置される。
【００８０】
テキスト入力エリア５８は、キャンバスエリア５４に配置された後も、ドラッグ等により、キャンバスエリア５４内で自由に移動可能であるので、ユーザは、キャンバスエリア５４内の所望の場所にテキスト入力エリア５８を配置することができる。
【００８１】
ユーザは、端末８０を操作することによって、図８に示すように、テキスト入力エリア５８に文字情報を入力することができる。テキスト入力エリア５８では、ユーザは、ワードプロセッサの機能を使って、文字のサイズの拡大／縮小等も行うことも可能である。
【００８２】
図９にもまた、描画用パーツ表示エリア５２と、キャンバスエリア５４とを含むジェノグラム描画用画面５０が例示されているが、図９では、描画用パーツ表示エリア５２に、描画用パーツａのアイコン、テキストアイコンｃの他に、多数の線指定アイコンｄも表示されている。このような線指定アイコンｄは、図４におけるスクロールバーＳを図中下方向にスライドすることによってテキストアイコンｃの下に表れる。
【００８３】
ユーザは、多数の線指定アイコンｄのうち、所望する線指定アイコンｄを、マウスをクリックする等により指定した状態で、キャンバスエリア５４をクリックすると、図９に示すように、キャンバスエリア５４に、指定された線指定アイコンｄに対応する線６０が表示される。また、その近傍に、線編集アイコン６２が表示される。
【００８４】
線６０はキャンバスエリア５４に配置された後も、ドラッグ等により、キャンバスエリア５４内で自由に移動可能であるので、ユーザは、キャンバスエリア５４内の所望の場所にテキスト入力エリア５８を配置することができる。また、線６０の近傍の適切な場所（配置可能な場所）には、線編集アイコン６２が表示される。
【００８５】
ユーザは、端末８０を操作することによって、線編集アイコン６２から、線６０の本数や、属性（実線／破線）、矢印指定（終端に矢印を付けるか否か）等を設定することができる。例えば、線６０の本数は、単数のみならず、２重線、３重線まで選択することができる。属性として破線が選択された場合、２重線及び３重線の指定はできない。矢印指定する場合もまた、２重線及び３重線の指定はできない。また、属性や矢印指定等をいったん設定した後であっても、画面操作によって、設定内容を容易に変更することができる。
【００８６】
ユーザは、このようにキャンバスエリア５４において、描画用パーツａ１を配置し、テキスト入力エリア５８にテキスト情報を入力し、関連する描画用パーツａ１同士を線６０で結ぶといった描画作業を行うことによって、例えば図１０のキャンバスエリア５４に示すように、ジェノグラム９０の描画を完成させることができる。
【００８７】
ジェノグラム描画層Ａへのジェノグラム９０の描画が完成すると、ジェノグラム描画層Ａは、ジェノグラム描画情報として、ジェノグラム描画層ＤＢ３２に保存されるとともに、ユーザは、エコマップ描画層Ｂへエコマップを描画するために、メニュー画面４０から、エコマップ描画４２を選択することが可能となる。
【００８８】
ユーザが、エコマップ描画４２を選択すると、エコマップ描画モジュール２２が起動し、さらに、表示制御モジュール２６によって、図１１に例示するように、２層目であるジェノグラム描画層Ａの上に、１層目であるエコマップ描画層Ｂが重ね合わされて、表示画面８４から表示される。
【００８９】
図１１は、エコマップ描画モジュール起動時に表示されるエコマップ描画用画面の一例を示す概念図である。
【００９０】
このエコマップ描画用画面５１を用いて、ユーザは、エコマップ描画層Ｂ上に、エコマップを描画するためのユーザ操作を行うことができる。
【００９１】
エコマップ描画層Ｂ及びジェノグラム描画層Ａは、表示画面８４において透過性の背景を有しているので、ユーザは、図１１に示すように、ジェノグラム描画層Ａに描画されたジェノグラムを見ながら、エコマップ描画層Ｂに対して、エコマップを描画するためのユーザ操作を行うことができる。つまり、ユーザは、ジェノグラム描画層Ａに描画されたジェノグラムに基づいて、エコマップ描画層Ｂに、エコマップを描画することができる。
【００９２】
エコマップ描画用画面５１においても、ジェノグラム描画用画面５０と同様の描画用パーツ表示エリア５２が表示される。
【００９３】
ユーザは、描画用パーツ表示エリア５２に表示されている描画用パーツａのアイコン、テキストアイコンｃ、線指定アイコンｄから、必要なアイコンを指定し、キャンバスエリア５４に配置したり、必要な情報を入力することによって、図１２に例示するように、エコマップ描画層Ｂ上にエコマップ１００を描画することができる。これらの動作は、ジェノグラム描画用画面５０に関して図４〜図９を用いて説明した動作と同じであるので、重複説明を避ける。
【００９４】
なお、エコマップ描画用画面５１のキャンバスエリア５４には、表示制御モジュール２６によって、タブボタンＹ、Ｚ、Ｗが設けられている。
【００９５】
ユーザがタブボタンＺを指定すると、表示制御モジュール２６によって、ジェノグラム描画層Ａが、エコマップ描画層Ｂよりも上に配置される。このように、ジェノグラム描画層Ａを最上層に配置することによって、ユーザは、ジェノグラム編集モジュール２４の機能を使って、ジェノグラム描画層Ａの編集操作を行うことが可能となる。
【００９６】
ユーザがタブボタンＹを指定すると、表示制御モジュール２６によって、エコマップ描画層Ｂが、再びジェノグラム描画層Ａの上に配置される。これによって、ユーザは、エコマップ編集モジュール２５の機能を使って、エコマップ描画層Ｂの編集操作を行うことができる。
【００９７】
ユーザがタブボタンＷを指定すると、表示制御モジュール２６によって、２層目に表示されているジェノグラム描画層Ａと、１層目に表示されているエコマップ描画層Ｂとが統合された画像データが生成される。
【００９８】
また、エコマップ描画層Ｂが表示されているキャンバスエリア５４には、追加ボタンＤも設けられている。
【００９９】
ユーザが、マウスクリック等により追加ボタンＤを押すと、新たなエコマップ描画層Ｂが追加され、最上層に表示される。ユーザは、新たに表示されたエコマップ描画層Ｂに対しても同様に、エコマップ描画モジュール２２の機能を使ってエコマップを描画することができる。図示していないが、この新たなエコマップ描画層Ｂに対しても同様のタブ（図示せず）が設けられるので、ユーザは、前述したように、タブを選択することによって、最上層に表示する描画層を指定したり、重ね合わされているすべての描画層を統合した画像データを生成することができる。
【０１００】
このようにしてエコマップ描画層Ｂへのエコマップ１００の描画が完成すると、ジェノグラム描画層Ａは、ジェノグラム描画情報として、ジェノグラム描画層ＤＢ３２に保存されるとともに、ユーザは、エコマップ描画層Ｂへエコマップ１００を描画するために、メニュー画面４０から、エコマップ描画４２を選択することが可能となる。
【０１０１】
ジェノグラム編集４３が選択された場合は、ジェノグラム編集モジュール２４が起動し、ユーザは、ジェノグラム描画層ＤＢ３２に保存されたジェノグラム描画層Ａから所望するジェノグラム描画層Ａを選択し、キャンバスエリア５４から表示させることができる。表示されたジェノグラム描画層Ａは、複写、修正、追加、削除といった編集がなされることが可能である。この編集方法の一例は、図４〜図９を用いて説明した通りであるので、重複説明を避ける。
【０１０２】
これによって、すでに作成された過去のジェノグラム描画層Ａを利用して、新たなジェノグラム描画層Ａを作成できるようになるので、ジェノグラム描画層Ａの作成効率を高めることができる。
【０１０３】
編集後のジェノグラム描画層Ａは、ジェノグラム編集モジュール２４によって、ジェノグラム描画層ＤＢ３２にオーバライトして保存され、ジェノグラム描画層ＤＢ３２が更新される。
【０１０４】
エコマップ編集４４が選択された場合は、エコマップ編集モジュール２５が起動し、ユーザは、エコマップ描画層ＤＢ３３に保存されたエコマップ描画層Ｂから所望するエコマップ描画層Ｂを選択し、キャンバスエリア５４から表示させることができる。表示されたエコマップ描画層Ｂは、複写、修正、追加、削除といった編集がなされることが可能であるので、ジェノグラム描画層Ａと同様に、すでに作成された過去のエコマップ描画層Ｂを利用して、新たなエコマップ描画層Ｂを作成できるようになるので、エコマップ描画層Ｂの作成効率を高めることができる。なお、この編集方法の例は、前述した通りであるので、重複説明を避ける。
【０１０５】
編集後のエコマップ描画層Ｂは、エコマップ編集モジュール２５によって、エコマップ描画層ＤＢ３３にオーバライトして保存され、エコマップ描画層ＤＢ３３が更新される。
【０１０６】
キャンバスエリア５４には、描画用パーツ登録モジュール２３を起動させるためのパーツ登録ボタンＰも設けられている。
【０１０７】
キャンバスエリア５４の最上層にジェノグラム描画層Ａが表示されている状態では、描画用パーツ登録モジュール２３によって、表示されているジェノグラム描画層Ａの任意の一部を、新たな描画用パーツａとして、描画用パーツＤＢ３１に登録することができる。また、ジェノグラム描画層ＤＢ３２から、ユーザ選択されたジェノグラム描画層Ａを取得し、このジェノグラム描画層Ａの一部を、新たな描画用パーツａとして、描画用パーツＤＢ３１に登録することもできる。
【０１０８】
これは、表示されているジェノグラム描画層Ａから、新たな描画用パーツａとして登録したい範囲を、例えば、ユーザ操作によって指定し、パーツ登録ボタンＰを押すことによって実現される。
【０１０９】
また、キャンバスエリア５４の最上層にエコマップ描画層Ｂが表示されている状態では、描画用パーツ登録モジュール２３によって、表示されているエコマップ描画層Ｂの任意の一部を、新たな描画用パーツａとして、描画用パーツＤＢ３１に登録することもできる。また、エコマップ描画層ＤＢ３３から、ユーザ選択されたエコマップ描画層Ｂを取得し、このエコマップ描画層Ｂの一部を、新たな描画用パーツａとして、描画用パーツＤＢ３１に登録することもできる。
【０１１０】
これも同様に、表示されているエコマップ描画層Ｂから、新たな描画用パーツａとして登録したい範囲を、ユーザ操作によって指定し、パーツ登録ボタンＰを押すことによって実現される。
【０１１１】
表示制御モジュール２６は、ジェノグラム描画層Ａの上に、エコマップ描画層Ｂを重ねた状態で、表示画面８４から表示させたり、重ね合わされたジェノグラム描画層Ａとエコマップ描画層Ｂとを統合した画像データを生成する。
【０１１２】
表示されるジェノグラム描画層Ａは、ジェノグラム描画モジュール２１による描画前、描画途中、描画終了後のいずれも可能であり、また、ユーザ要求によって、ジェノグラム描画層ＤＢ３２から取得されたものとすることもできる。
【０１１３】
同様に、表示されるエコマップ描画層Ｂは、エコマップ描画モジュール２２による描画前、描画途中、描画終了後のいずれも可能であり、また、ユーザ要求によって、エコマップ描画層ＤＢ３３から取得されたものとすることもできる。
【０１１４】
ジェノグラム／エコマップ表示４５が指定されると、ユーザは、ジェノグラム描画層ＤＢ３２に保存されているジェノグラム描画層Ａと、エコマップ描画層ＤＢ３３に保存されているエコマップ描画層Ｂとを、重ね合わせて表示画面８４から表示させることができる。
【０１１５】
これによって、ユーザは、過去に描画されたジェノグラム描画層Ａとエコマップ描画層Ｂとを、所望のタイミングで重ね合わせて閲覧することができる。
【０１１６】
上述したように、本発明の実施形態に係るジェノグラム／エコマップ作成方法が適用されたジェノグラム／エコマップ作成装置によれば、ジェノグラム描画層Ａとエコマップ描画層Ｂとを一体的に作成し、重ね合わせて表示することができる。それに加えて、以下のような効果を奏することもできる。
【０１１７】
すなわち、ジェノグラム／エコマップ作成装置１０は、Ｗｅｂ環境で動作するので、ユーザは、Ｗｅｂブラウザがインストールされた端末８０を準備することによって、プログラムをインストールする必要なく利用することができる。
【０１１８】
また、ユーザ操作は、マウスやキーボードのみならず、タッチパネルや、スタイラスペンを使用して行うことも可能であるため、ユーザが最も慣れている手段を使って、紙への手書きのように作成することができるなど、マウス操作に不慣れなユーザでも容易に利用することができる。
【０１１９】
さらに、ジェノグラム描画層Ａとエコマップ描画層Ｂとのうち何れか一方を表示させ、確認したり、編集することもでき、例えば、ジェノグラム描画層Ａを表示させながら、エコマップ描画層Ｂのみを編集することも可能である。一般に、エコマップで表される人間関係の変化の頻度は、ジェノグラムで表される家族関係の変化の頻度よりも高い。したがって、家族関係に変化がなく、社会資源との関係のみに変化があった場合、ジェノグラム描画層Ａを更新することなく、表示だけさせながら、エコマップ描画層Ｂのみを編集することができるので、無駄な作業を排除しつつ、必要な修正のみを行うことが可能となる。
【０１２０】
さらには、エコマップ描画層Ｂは、近隣関係の層、ビジネス関係の層などのように、項目毎に個別の層として描画し、これら複数の層を任意に重ね合わせて表示することもできる。これによって、例えば、引っ越しを行い、近隣関係のみに変更が生じた場合には、近隣関係の層だけを変更すればよく、また、仕事をリタイヤした場合には、ビジネス関係の層を消去するだけで、エコマップの更新が可能となるなど、変更や修正に対する作業が簡素化され、使い勝手が各段に改善される。
【０１２１】
さらにまた、既に作成したジェノグラム描画層Ａやエコマップ描画層Ｂを編集できることや、ジェノグラム描画層Ａやエコマップ描画層Ｂに描画されている任意の一部を描画用パーツａとして登録しておき、登録された描画用パーツａをそのまま使用したり、あるいは一部を変更して使用することによって、新たなジェノグラム描画層Ａやエコマップ描画層Ｂを作成することもできるので、ジェノグラム描画層Ａやエコマップ描画層Ｂの作成時における作業効率を高めることができる。
【０１２２】
さらには、ジェノグラム描画層Ａ、エコマップ描画層Ｂ、及び描画用パーツａは、記憶装置３０に記憶される際、汎用のＳＶＧ形式で保存されるため、ユーザは、これらを他のソフトウェアに取り込んで利用することも可能となる。
【０１２３】
このように、本発明の実施形態に係るジェノグラム／エコマップ作成方法及びジェノグラム／エコマップ作成装置によれば、ジェノグラム及びエコマップを、容易にかつ一体的に作成することが可能となる。
【０１２４】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【０１２５】
例えば、上記実施形態では、最初にジェノグラム描画層Ａを作成し、次に、エコマップ描画層Ｂを、ジェノグラム描画層Ａに重ねた状態で作成する例について説明した。これは、一般に、エコマップよりもジェノグラムの方が、変わる頻度が少ないために、変わる頻度が少ないジェノグラムをベースにエコマップを作成する方が合理的であるとの理由に基づくものである。しかしながら、これは一例にすぎず、その逆に、最初にエコマップ描画層Ｂを作成し、それを利用してジェノグラム描画層Ａを作成するようにしてもよい。
【産業上の利用可能性】
【０１２６】
本願発明のジェノグラム及びエコマップの作成装置、方法、及びプログラムは、単独の装置やアプリケーションとして実現することも可能であるが、例えば役場や役所において、福祉相談の支援業務を統合的に管理する福祉相談支援システムに搭載された一機能として実現することも可能である。
【０１２７】
福祉相談支援システムに搭載された一機能として実現する場合の一例として、描画用パーツ登録モジュール２３による描画用パーツの登録時の一連の操作例を、図１３から図１６を用いて説明する。
【０１２８】
なお、図１３から図１６に示す画面のデザインは、上記実施形態の説明で使用した画面のデザインとは同一ではないが、このようなデザインの画面であっても、上述したような描画用パーツ登録処理を実現できることに留意されたい。
【０１２９】
図１３は、福祉相談支援システムの保守メニューを表示する画面の一例を示す図である。
【０１３０】
福祉相談支援システムは、福祉ポータル、相談管理、業務支援、保守といった４つの機能を備えており、ユーザは、福祉相談支援システムを起動すると、表示画面８４から、各機能に対応するタブ（福祉ポータルタブ２００、相談管理タブ２１０、業務支援タブ２２０、保守タブ２３０）が表示される。
【０１３１】
上述したようなジェノグラム／エコマップ作成装置１０を起動させるためには、ユーザは、保守タブ２３０を、マウス等を用いて指定する。
【０１３２】
ユーザが、マウス等を用いて、図１３に示す表示画面から、ジェノグラム・エコマップｋ１１を指定すると、図１４に示すような画面に遷移する。
【０１３３】
図１４は、ジェノグラム／エコマップ作成装置の項目を初期登録する際に表示される画面の一例を示す図である。
【０１３４】
この初期登録画面には、描画用パーツＤＢ３１に記憶された描画用パーツａを一覧表示した項目名称テーブル２４０が表示される。項目名称テーブル２４０には、番号２４１、項目名称２４２、および説明２４３の他に、編集ボタン２４４も表示されている。
【０１３５】
図１４に示す例は、描画用パーツＤＢ３１には、「核家族」という項目名称２４２で登録された１つの描画用パーツａが記憶されていることを示している。
【０１３６】
ユーザは、「核家族」という項目名称２４２で登録された描画用パーツａを編集したい場合、マウス等により編集ボタン２４４を指定する。
【０１３７】
また、図１４に示す初期登録画面には、新規追加ボタン２５０および終了ボタン２５２も表示されている。
【０１３８】
ユーザは、新たな描画用パーツａを作成する場合、マウス等により、新規追加ボタン２５０を指定する。一方、初期登録処理を終了したい場合、マウス等により、終了ボタン２５２を指定する。
【０１３９】
編集ボタン２４４が指定された場合、描画用パーツ登録モジュール２３が起動し、図１５に示すような画面に遷移する。
【０１４０】
図１５は、描画用パーツを編集処理する際に表示される画面の一例を示す図である。
【０１４１】
図１５に例示するような描画用パーツ編集処理画面には、編集ボタン２４４に対応する項目名称２４２と、説明２４３とが表示される。また、前述した描画用パーツ表示エリア５２およびもキャンバスエリア５４も表示され、キャンバスエリア５４には、「核家族」という項目名称２４２で登録された描画用パーツａも表示される。
【０１４２】
ユーザは、キャンバスエリア５４に表示された描画用パーツａを、前述した編集機能を使って編集することができる。
【０１４３】
図１５に例示する描画用パーツ編集処理画面には、削除ボタン２６０、取消ボタン２６２、および更新ボタン２６４も表示されている。
【０１４４】
ユーザは、描画用パーツａの編集を完了し、描画用パーツＤＢ３１の内容を更新したい場合には、マウス等により、更新ボタン２６４を指定する。これによって、図１５に示す例の場合、描画用パーツＤＢ３１に記憶されている「核家族」という名称の描画用パーツａが更新される。
【０１４５】
一方、キャンバスエリア５４に表示された描画用パーツａの編集をしない場合、あるいは、編集したものの、編集した内容への更新をしない場合、ユーザは、マウス等により、取消ボタン２６２を指定する。これによって、キャンバスエリア５４に表示された描画用パーツａに対してなされた編集処理はキャンセルされる。
【０１４６】
また、キャンバスエリア５４に表示された描画用パーツａを、描画用パーツＤＢ３１から削除したい場合、ユーザは、マウス等により、削除ボタン２６０を指定する。これによって、キャンバスエリア５４に表示された描画用パーツａは、描画用パーツＤＢ３１から削除される。
【０１４７】
描画用パーツａの作成例を図１３〜図１５を用いて説明した。作成された描画用パーツａは、相談管理タブ２１０を指定することによって一覧表示される相談管理機能に含まれる被支援者のジェノグラム・エコマップを作成する作成機能で使えるようになる。
【０１４８】
図１６は、被支援者が作成機能を使ってエコマップを作成する際に表示される画面の一例を示す図である。図１３〜図１５を用いて説明したように、作成あるいは編集された描画用パーツａは、図１６にも反映される。
【０１４９】
図１６に例示する画面では、更新された描画用パーツａが、前述した描画用パーツ表示エリア５２の上部のライブラリ表示エリア５３に表示される。ライブラリ表示エリア５３に表示された描画用パーツａは、引き続きキャンバスエリア５４にも表示されているので、ユーザは、キャンバスエリア５４に表示されている描画用パーツａを使って、ジェノグラム描画モジュール２１によるジェノグラム描画処理や、エコマップ描画モジュール２２によるエコマップ描画処理を行うことができる。
【０１５０】
描画用パーツ表示エリア５２の下には、クリアボタン２７０が表示されている。また、キャンバスエリア５４の下には、戻るボタン２７２および確定ボタン２７４が表示されている。
【０１５１】
クリアボタン２７０は、描画処理の内容をクリアするためのボタンである。戻るボタン２７２は、図１５に示すような前の画面に戻るためのボタンである。確定ボタン２７４は、描画処理の内容を確定させるためのボタンである。
【０１５２】
ユーザは、キャンバスエリア５４に表示されている描画用パーツａを使って、ジェノグラム描画モジュール２１によるジェノグラム描画処理や、エコマップ描画モジュール２２によるエコマップ描画処理を行った後、マウス等により、確定ボタン２７４を指定することによって、処理内容を確定させることができる。クリアボタン２７０を指定することによって、処理内容をクリアすることができる。さらには、戻るボタン２７２を指定することによって、図１５に示すような前の画面に戻ることができる。
【符号の説明】
【０１５３】
１０  エコマップ作成装置
１１  バス
１２  ＣＰＵ
１３  外部記録媒体
１４  記録媒体読取部
１５  通信部
２０  メモリ
２１  ジェノグラム描画モジュール
２２  エコマップ描画モジュール
２３  描画用パーツ登録モジュール
２４  ジェノグラム編集モジュール
２５  エコマップ編集モジュール
２６  表示制御モジュール
２９  書込可能データエリア
３０  記憶装置
３１  描画用パーツデータベース
３２  ジェノグラム描画層データベース
３３  エコマップ描画層データベース
４０  メニュー画面
４１  ジェノグラム描画
４２  エコマップ描画
４３  ジェノグラム編集
４４  エコマップ編集
４５  ジェノグラム／エコマップ表示
５０  ジェノグラム描画用画面
５１  エコマップ描画用画面
５２  描画用パーツ表示エリア
５３  ライブラリ表示エリア
５４  キャンバスエリア
５６  編集メニューアイコン
５８  テキスト入力エリア
６０  線
６２  線編集アイコン
７０  通信ネットワーク
８０  端末
８４  表示画面
９０  ジェノグラム
１００  エコマップ
２００  福祉ポータルタブ
２１０  相談管理タブ
２２０  業務支援タブ
２３０  保守タブ
２４０  項目名称テーブル
２４１  番号
２４２  項目名称
２４３  説明
２４４  編集ボタン
２５０  新規追加ボタン
２５２  終了ボタン
２６０  削除ボタン
２６２  取消ボタン
２６４  更新ボタン
２７０  クリアボタン
２７２  戻るボタン
２７４  確定ボタン
Ａ  ジェノグラム描画層
ａ、ａ１  描画用パーツ
Ｂ  エコマップ描画層
Ｂ１  ビジネス関係エコマップ描画層
Ｂ２  近隣関係エコマップ描画層
Ｂ３  及び趣味関係エコマップ描画層
ｃ  テキストアイコン
Ｄ  追加ボタン
ｄ  線指定アイコン
Ｐ  パーツ登録ボタン
Ｓ  スクロールバー
Ｗ  タブボタン
Ｙ  タブボタン
Ｚ  タブボタン
【要約】
【課題】  ジェノグラム及びエコマップを、容易にかつ一体的に作成することが可能な作成装置、方法、及びプログラムを提供する。
【解決手段】  ジェノグラム及びエコマップを作成するための装置は、画面から表示されるジェノグラム描画層に、第１のユーザ操作に従って、ジェノグラムを描画するジェノグラム描画部と、前記画面から表示されるエコマップ描画層に、第２のユーザ操作に従って、エコマップを描画するエコマップ描画部と、前記ジェノグラム描画層と、前記エコマップ描画層とを、前記画面から、重ねて表示させる表示制御部とを備える。
【選択図】図１【図１】
0006821846.tif 000002
【図２】
0006821846.tif 000003
【図３】
0006821846.tif 000004
【図４】
0006821846.tif 000005
【図５】
0006821846.tif 000006
【図６】
0006821846.tif 000007
【図７】
0006821846.tif 000008
【図８】
0006821846.tif 000009
【図９】
0006821846.tif 000010
【図１０】
0006821846.tif 000011
【図１１】
0006821846.tif 000012
【図１２】
0006821846.tif 000013
【図１３】
0006821846.tif 000014
【図１４】
0006821846.tif 000015
【図１５】
0006821846.tif 000016
【図１６】
0006821846.tif 000017